(57)【要約】【課題】データ解析の処理負荷が少なく、かつ身体へのセンサの直接的な装着を不要にして心理的負担の軽減を図り、体液の有無だけでなく体液の種類も判定可能とする。【解決手段】絶縁性布体１１１，１２１と導電性パターン１１２ａ，１２２ａと絶縁性シート１３とを重ね合わせて５層構造のセンサユニット１０Ａを構成し、このセンサユニット１０Ａに涙又は汗が付着したときの上記導電性パターン１１２ａ，１２２ａ間の抵抗の低下を抵抗値計測部２１ａにより検出して、その検出時刻又は期間を表す情報と体液の付着の有無と体液の種類を表す情報を含むセンサデータを、利用者端末２を介して情報処理サーバ４へ転送する。情報処理サーバ４では、上記センサデータに含まれる体液の種類を表す情報と検出時刻又は期間を示す情報をもとに、利用者が鑑賞中の映画又はドラマのどのシーンで感動又は興奮したのかを推定する。【選択図】図２
2020073884.tif 000002
【特許請求の範囲】
【請求項１】
センサユニットと、当該センサユニットから出力される信号を受信する信号処理ユニットとを具備し、
前記センサユニットは、絶縁性を有する布状シートの第１の面に面状をなす第１の導電性パターンを形成した第１の布状デバイスと、絶縁性を有する布状シートの第２の面に面状をなす第２の導電性パターンを形成した第２の布状デバイスと、前記第１の導電性パターンと前記第２の導電性パターンとの間に介在配置される絶縁性シートとを、重ね合わせて一体化した構造を備え、
前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える
ことを特徴とする体液検出装置。
【請求項２】
センサユニットと、当該センサユニットから出力される信号を受信する信号処理ユニットとを具備し、
前記センサユニットは、絶縁性を有する布状シートの第１の面に櫛歯状をなす第１の導電性パターンを形成した第１の布状デバイスと、絶縁性を有する布状シートの第２の面に櫛歯状をなす第２の導電性パターンを前記第１の導電性パターンに対し直交する向きに形成した第２の布状デバイスと、前記第１の導電性パターンと前記第２の導電性パターンとの間に介在配置される絶縁性シートとを、重ね合わせて一体化した構造を備え、
前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える
ことを特徴とする体液検出装置。
【請求項３】
センサユニットと、当該センサユニットから出力される信号を受信する信号処理ユニットとを具備し、
前記センサユニットは、絶縁性を有する布状シートの第１の面に、櫛歯状をなす第１および第２の導電性パターンを、互いの歯に相当する部位が一定の間隔を隔てて対向する状態に形成した構造を備え、
前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える
ことを特徴とする体液検出装置。
【請求項４】
センサユニットと、当該センサユニットから出力される信号を受信する信号処理ユニットとを具備し、
前記センサユニットは、絶縁性を有する布状シートの第１の面に、所定の相互間隔を隔てて線状をなす複数の導電性パターンを平行に形成した構造を備え、
前記信号処理ユニットは、前記複数の導電性パターンの全ての組み合わせについて当該導電性パターン間の抵抗値をそれぞれ計測し、この抵抗値の計測結果を体液の種類ごとに予め設定されたしきい値と比較することで、前記センサユニットに対する利用者の体液の一次元方向の付着の有無と付着した体液の種類を判定する手段を備える
ことを特徴とする体液検出装置。
【請求項５】
センサユニットと、当該センサユニットから出力される信号を受信する信号処理ユニットとを具備し、
前記センサユニットは、絶縁性を有する布状シートの第１の面に、所定の相互間隔を隔てて平行する線状をなす複数の第１の導電性パターンを形成し、かつ前記布状シートの前記第１の面に対し背面側となる第２の面に、所定の相互間隔を隔てて平行すると共に前記第１の導電性パターンと直交する方向に線状をなす複数の第２の導電性パターンを形成した構造を備え、
前記信号処理ユニットは、前記複数の第１および第２の導電性パターンの全ての組み合わせについて当該導電性パターン間の抵抗値をそれぞれ計測し、この抵抗値の計測結果を体液の種類ごとに予め設定されたしきい値と比較することで、前記センサユニットに対する利用者の体液の二次元方向の付着の有無と付着した体液の種類を判定する手段を備える
ことを特徴とする体液検出装置。
【請求項６】
請求項１乃至５のいずれかに記載の体液検出装置と、
前記体液検出装置から前記体液の付着の有無と付着した体液の種類の判定結果を表す情報を受け取り、受け取った前記情報に基づいて前記利用者の状態を推定する推定装置と
を具備することを特徴とする状態推定システム。
【発明の詳細な説明】
【技術分野】
【０００１】
この発明は、人の体液を検出するための体液検出装置と、この体液検出装置を用いて例えば人の感動や興奮の度合いを推定する状態推定システムに関する。
【背景技術】
【０００２】
例えば、コンサート等のエンターテイメント領域において、観客の感動の度合いを推定することは、コンテンツの評価、並びに感動の度合いを活用したサービス提供を行う上で有効である。
【０００３】
人の感動の度合いを推定する手法としては、例えば人の心拍データを計測してその計測データを処理することで感情を推定する手法（例えば特許文献１を参照）や、涙の量により感動度を推測する手法（例えば非特許文献１を参照）が知られている。
【先行技術文献】
【特許文献】
【０００４】
【特許文献１】特開２００５−３０３７２２号公報
【非特許文献】
【０００５】
【非特許文献１】「コンテンツ鑑賞時の涙を演出・記録するためのセンサとその応用の提案」、三谷真梨奈、筧 康明、慶應義塾大学、第１８回日本バーチャルリアリティ学会大会、13C-6、2013
【発明の概要】
【発明が解決しようとする課題】
【０００６】
ところが、特許文献１に記載された手法では、心拍の計測データを解析して人の感動の度合いを表す情報を導き出す処理が複雑で処理負荷が高い。一方、非特許文献２に記載された手法では、涙の量を直接的に感動の度合いに数値化することができるので処理は少なくて済むが、涙の量を検出するために顔にセンサを装着する必要があるため、人の心理的な負担が大きい。
【０００７】
この発明は上記事情に着目してなされたもので、データ解析の処理負荷が少なく、かつ身体へのセンサの直接的な装着を不要にして心理的負担の軽減を図り、さらに体液の有無だけでなく付着した体液の種類も判定可能とした体液検出装置およびこの体液検出装置を用いた状態推定システムを提供しようとするものである。
【課題を解決するための手段】
【０００８】
上記課題を解決するためにこの発明は、以下のような各態様を備えている。  
（１）センサユニットと、当該センサユニットから出力される信号を受信する信号処理ユニットとを具備する体液検出装置であって、前記センサユニットは、絶縁性を有する布状シートの第１の面に面状をなす第１の導電性パターンを形成した第１の布状デバイスと、絶縁性を有する布状シートの第２の面に面状をなす第２の導電性パターンを形成した第２の布状デバイスと、前記第１の導電性パターンと前記第２の導電性パターンとの間に介在配置される絶縁性シートとを、重ね合わせて一体化した構造を備え、前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える。
【０００９】
（２）センサユニットと、当該センサユニットから出力される信号を受信する信号処理ユニットとを具備する体液検出装置であって、前記センサユニットは、絶縁性を有する布状シートの第１の面に櫛歯状をなす第１の導電性パターンを形成した第１の布状デバイスと、絶縁性を有する布状シートの第２の面に櫛歯状をなす第２の導電性パターンを前記第１の導電性パターンに対し直交する向きに形成した第２の布状デバイスと、前記第１の導電性パターンと前記第２の導電性パターンとの間に介在配置される絶縁性シートとを、重ね合わせて一体化した構造を備え、前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える。
【００１０】
（３）センサユニットと、当該センサユニットから出力される信号を受信する信号処理ユニットとを具備する体液検出装置であって、前記センサユニットは、絶縁性を有する布状シートの第１の面に、櫛歯状をなす第１および第２の導電性パターンを、互いの歯に相当する部位が一定の間隔を隔てて対向する状態に形成した構造を備え、前記信号処理ユニットは、前記第１の導電性パターンと前記第２の導電性パターンとの間の抵抗値を計測し、この抵抗値の計測結果を体液の種類ごとに予め設定されたしきい値と比較することで、前記センサユニットに対する利用者の体液の付着の有無と付着した体液の種類を判定する手段を備える。
【００１１】
（４）センサユニットと、当該センサユニットから出力される信号を受信する信号処理ユニットとを具備する体液検出装置であって、前記センサユニットは、絶縁性を有する布状シートの第１の面に、所定の相互間隔を隔てて線状をなす複数の導電性パターンを平行に形成した構造を備え、前記信号処理ユニットは、前記複数の導電性パターンの全ての組み合わせについて当該導電性パターン間の抵抗値をそれぞれ計測し、この抵抗値の計測結果を体液の種類ごとに予め設定されたしきい値と比較することで、前記センサユニットに対する利用者の体液の一次元方向の付着の有無と付着した体液の種類を判定する手段を備える。
【００１２】
（５）センサユニットと、当該センサユニットから出力される信号を受信する信号処理ユニットとを具備する体液検出装置であって、前記センサユニットは、絶縁性を有する布状シートの第１の面に、所定の相互間隔を隔てて平行する線状をなす複数の第１の導電性パターンを形成し、かつ前記布状シートの前記第１の面に対し背面側となる第２の面に、所定の相互間隔を隔てて平行すると共に前記第１の導電性パターンと直交する方向に線状をなす複数の第２の導電性パターンを形成した構造を備え、前記信号処理ユニットは、前記複数の第１および第２の導電性パターンの全ての組み合わせについて当該導電性パターン間の抵抗値をそれぞれ計測し、この抵抗値の計測結果を体液の種類ごとに予め設定されたしきい値と比較することで、前記センサユニットに対する利用者の体液の二次元方向の付着の有無と付着した体液の種類を判定する手段を備える。
【００１３】
（６）（１）乃至（５）のいずれかに記載された体液検出装置と、前記センサユニットにより検出された体液の付着の有無と付着した体液の種類の判定結果を表す情報を受け取り、当該付着状態を表す情報に基づいて前記利用者の状態を推定する推定装置とを具備する。
【発明の効果】
【００１４】
（１）によれば、涙や汗等の体液を拭くという利用者にとって自然な動作を利用し、かつ体液の付着状態を抵抗値の変化として検出することにより、利用者にセンサを装着することなく、かつ複雑な信号解析処理を必要とすることなく、利用者の体液の付着の有無と付着した体液の種類を判定することができる。
【００１５】
（２）によれば、（１）で述べた効果に加え、絶縁性を有する布状シートに形成する導電性パターンを櫛歯状とすることで、センサユニットの厚さを薄くすることができ、これによりセンサユニットを通常のハンカチやハンドタオルの使用感に近づけることが可能となる。
【００１６】
（３）によれば、（１）で述べた効果に加え、櫛歯状をなす第１および第２の導電性パターンを、絶縁性を有する布状シートの同一面に形成したことによって、センサユニットの厚さをさらに薄くすることができ、これによりセンサユニットを通常のハンカチやハンドタオルの使用感にさらに近づけることが可能となる。
【００１７】
（４）によれば、線状をなす複数の導電性パターンが所定の相互間隔を隔てて平行に配置され、これらの導電性パターンの全ての組み合わせについて当該導電性パターン間の抵抗値がそれぞれ計測されて、その計測結果に基づいてセンサユニットに対する利用者の体液の一次元方向の付着の有無と付着した体液の種類が判定される。したがって、センサユニットに対する体液の付着の有無だけでなく、付着した体液の種類および体液の付着量を検出することが可能となる。
【００１８】
（５）によれば、布状シートの両面に、線状をなす複数の導電性パターンが互いに直交するように形成され、これらの導電性パターン間の全ての組み合わせについて当該導電性パターン間の抵抗値がそれぞれ計測されて、その計測結果に基づいてセンサユニットに対する利用者の体液の二次元方向の付着の有無と付着した体液の種類が判定される。したがって、センサユニットに対する体液の付着の有無だけでなく、付着した体液の種類および体液の付着量を検出することが可能となり、さらに体液の二次元方向の付着範囲を検出することで体液の付着量をより一層正確に検出することが可能となる。
【００１９】
（６）によれば、体液検出装置により検出された体液の付着の有無と付着した体液の種類の判定結果を表す情報が推定装置に送られ、推定装置により上記付着の有無と付着した体液の種類の判定結果を表す情報に基づいて利用者の状態が推定される。このため、利用者がセンサユニットにより拭いた体液の付着の有無と付着した体液の種類の判定結果をもとに、利用者の状態を効果的に推定することができる。
【００２０】
すなわちこの発明によれば、データ解析の処理負荷が少なく、かつ身体へのセンサの直接的な装着を不要にして心理的負担の軽減を図り、体液の有無だけでなく体液の種類も判定可能にした体液検出装置およびこの体液検出装置を用いた状態推定システムを提供することができる。
【図面の簡単な説明】
【００２１】
【図１】この発明の第１の実施形態に係る体液検出装置を使用した状態推定システムの全体構成を示す図。
【図２】図１に示した状態推定システムに設けられる情報処理サーバの機能構成を示すブロック図。
【図３】この発明の第１の実施形態に係る体液検出装置の構成を示す図。
【図４】待機状態において図３に示した体液検出装置により計測される抵抗値の特性を示す図。
【図５】図３に示した体液検出装置のセンサ部に涙が付着した状態を示す図。
【図６】図５に示した状態において図３に示した体液検出装置により計測される抵抗値の特性を示す図。
【図７】図３に示した体液検出装置のセンサ部を構成する第１および第２の布の構成を示す図。
【図８】NaCl溶液の２５℃における濃度別の導電率を示す図。
【図９】KCl溶液の２５℃における濃度別の導電率を示す図。
【図１０】体液の種類と抵抗値の範囲との関係を示す図。
【図１１】この発明の第２の実施形態に係る体液検出装置のセンサ部を構成する第１および第２の布の構成を示す図。
【図１２】この発明の第３の実施形態に係る体液検出装置の構成を示す図。
【図１３】図１２に示したセンサ部に涙が付着した状態を示す図。
【図１４】この発明の第４の実施形態に係る体液検出装置の構成を示す図。
【図１５】この発明の第５の実施形態に係る体液検出装置の構成を示す図。
【図１６】図１５に示した体液検出装置のセンサ部に涙が付着した状態の第１の例を示す図。
【図１７】図１５に示した体液検出装置のセンサ部に涙が付着した状態の第２の例を示す図。
【図１８】センサ部に対する体液別の付着面積の一例を示す図。
【図１９】この発明の第６の実施形態に係る体液検出装置の構成を示す図。
【図２０】この発明の第７の実施形態に係る体液検出装置の構成を示す図。
【図２１】図２０に示した体液検出装置のセンサ部に涙が付着した状態を示す図。
【図２２】この発明の第８の実施形態に係る体液検出装置の構成を示す図。
【発明を実施するための形態】
【００２２】
以下、図面を参照してこの発明に係わる実施形態を説明する。  
［第１の実施形態］
（構成）
図１は、この発明の第１の実施形態に係る体液検出装置を使用した状態推定システムの全体構成を示す図である。  
第１の実施形態における状態推定システムは、体液検出装置１と、利用者端末２と、情報処理サーバ４と、コンテンツサーバ５とを備えている。体液検出装置１は、利用者の体液（例えば涙や汗）を検出しその検出情報をセンサデータとして利用者端末２へ送信する。利用者端末２は、上記センサデータをネットワーク３を介して情報処理サーバ４へ転送する。情報処理サーバ４は、上記利用者端末２から転送されたセンサデータをもとに利用者の感情（例えば感動又は興奮の度合い）を推定する。そして、その推定結果に基づいて、コンテンツサーバ５からネットワーク３を介してコンテンツデータを取得し、当該コンテンツデータをネットワーク３を介して利用者端末２へ送信する。
【００２３】
以下、上記体液検出装置１、利用者端末２および情報処理サーバ４の構成を詳しく述べる。  
先ず体液検出装置１は、センサユニット１０Ａと、このセンサユニット１０Ａに接続された信号処理ユニット２０Ａとから構成される。センサユニット１０Ａは、利用者が涙を拭く際に使用するもので、ハンカチ又はハンドタオル等のような布状に製作されたデバイスからなる。信号処理ユニット２０Ａは、例えば上記センサユニット１０Ａの端部に固定されたストラップ又はキーホルダ型のデバイスからなる。
【００２４】
なお、センサユニット１０Ａは布状のもの以外に、ティッシュペーパのような紙状のものであってもよい。また、信号処理ユニット２０Ａは、センサユニット１０Ａの布状デバイスに貼付又は縫い付けたものや、布の繊維自体に設けたものでもよい。
【００２５】
利用者端末２は、例えば携帯電話機、スマートフォン、タブレット型端末又はウェアラブル端末等の携帯端末からなり、ネットワーク３を介して情報処理サーバ４との間でデータの送受信を行う通信インタフェースに加え、上記センサユニット１０Ａから送信されたセンサデータを受信するために、bluetooth（登録商標）やZigbee（登録商標）等に代表される微弱又は小電力を使用するデータ通信インタフェースを備えている。
【００２６】
なお、信号処理ユニット２０Ａから利用者端末へのセンサデータの転送は、無線に限らずＵＳＢケーブル等の有線信号ケーブルやＵＳＢ端子同士を直接接続することにより行ってもよい。また、センサデータは信号処理ユニット２０Ａからリアルタイムに出力するようにしてもよいが、信号処理ユニット２０Ａにセンサデータを蓄積するメモリを設け、当該メモリに蓄積されたセンサデータを読み出して利用者端末又はサーバ等の情報処理装置へ一括して転送するようにしてもよい。さらには、メモリとして信号処理ユニット２０Ａに対し着脱可能な記憶媒体を用い、当該記憶媒体を用いてセンサデータを利用者端末又はサーバ等の情報処理装置へ転送するようにしてもよい。
【００２７】
情報処理サーバ４は例えばクラウドサーバからなり、以下のように構成される。図２はその機能構成を示すブロック図である。  
すなわち、情報処理サーバ４は、制御ユニット４１と、記憶ユニット４２と、通信インタフェースユニット４３とを備えている。通信インタフェースユニット４３は、制御ユニット４１の制御の下で、ネットワーク３を介して上記利用者端末２およびコンテンツサーバ５との間でデータ通信を行う。
【００２８】
記憶ユニット４２は、記憶媒体としてＨＤＤ（Hard Disk Drive）又はＳＳＤ（Solid State Drive）等の随時書き込みおよび読み出しが可能な記憶媒体を用いたもので、第１の実施形態を実施する上で必要な記憶領域として、センサデータ記憶部４２１と、利用者状態記憶部４２２と、集団状態記憶部４２３とを備えている。
【００２９】
センサデータ記憶部４２１は、上記体液検出装置１から送信されたセンサデータを記憶するために用いられる。利用者状態記憶部４２２は、利用者ごとの感情の推定結果を表す情報を利用者ＩＤに関連付けて記憶するために使用される。集団状態記憶部４２３は、共通の環境下に同一時間帯に存在する複数の利用者が属する集団について、その感情の推定結果を表す情報を記憶するために用いられる。
【００３０】
制御ユニット４１は、ＣＰＵ（Central Processing Unit）と作業メモリを有し、第１の実施形態を実施する上で必要な制御機能として、センサデータ収集制御部４１１と、利用者状態推定処理部４１２と、推定結果通知制御部４１３と、集団状態推定処理部４１４とを備えている。これらの制御機能は、いずれも図示しないプログラムメモリに格納されたプログラムを上記ＣＰＵに実行させることにより実現される。
【００３１】
センサデータ収集制御部４１１は、各利用者の利用者端末２からそれぞれセンサデータを収集し、収集したセンサデータを対応する利用者の識別情報（利用者ＩＤ）と関連付けて上記センサデータ記憶部４２１に記憶させる処理を行う。
【００３２】
利用者状態推定処理部４１２は、上記センサデータ記憶部４２１から利用者ＩＤごとにそのセンサデータを読み込み、この読み込んだセンサデータから利用者が涙又は汗を流した時刻又は期間を表す情報を抽出する。そして、この抽出した時刻又は期間と、その時に利用者が鑑賞していたコンテンツのシーンとを関連付け、これにより上記コンテンツに対する利用者の感動又は興奮の度合いを算出し、その算出結果を利用者の状態を表す情報として、利用者ＩＤと関連付けて上記利用者状態記憶部４２２に記憶させる処理を行う。
【００３３】
推定結果通知制御部４１３は、上記利用者状態記憶部４２２に記憶された利用者の状態を示す情報をもとに、コンテンツサーバ５から類似又は関連するコンテンツを取得して利用者の利用者端末２へ配信する処理を行う。
【００３４】
集団状態推定処理部４１４は、予め定義された集団に属する複数の利用者の同一時間帯における感動の度合いを表す情報を上記利用者状態記憶部４２２から読み出す。そして、上記読み出された複数の利用者の感動又は興奮の度合いを表す情報をもとに、上記複数の利用者が同一時間帯に鑑賞したコンテンツに対する集団としての感動又は興奮の傾向性を統計計算により求め、その算出結果を上記コンテンツの識別情報と関連付けて集団状態記憶部４２３に記憶させる処理を行う。
【００３５】
次に、体液検出装置１のセンサユニット１０Ａおよび信号処理ユニット２０Ａの構成をさらに詳しく説明する。図３はその構成を示す図である。
【００３６】
センサユニット１０Ａは、第１の布状デバイス１１と第２の布状デバイス１２とを、絶縁性を有する布体（以後絶縁性シートと称する）１３を挟んでサンドイッチ状に重ね合わせたものからなる。第１の布状デバイス１１および第２の布状デバイス１２は、いずれも基体となる絶縁性を有する布体（絶縁性布体）１１１，１２１の一方の面のほぼ全面に、例えば図７に示すように導電性を有する面状のパターン（導電性パターン）１１２ａ，１２２ａを形成したものである。
【００３７】
すなわち、センサユニット１０Ａは、絶縁性布体１１１，１２１と、導電性パターン１１２ａ，１２２ａと、絶縁性シート１３とを重ね合わせて５層構造をなすもので、いずれの層にも吸湿性と速乾性を併せ持つ素材が用いられる。
【００３８】
一方、信号処理ユニット２０Ａは、抵抗値計測部２１ａおよび通信部２２を集積化してモジュール化したものからなる。抵抗値計測部２１ａは、第１の布状デバイス１１の導電性パターン１１２ａと第２の布状デバイス１２の導電性パターン１２２ａとの間の抵抗値を、連続的又は間欠的に計測する。抵抗値の計測方法としては、例えばホイートストンブリッジが考えられるが、これに限定されるものではない。そして、抵抗値計測部２１ａは、上記計測した抵抗値を予め体液の種類に応じて設定されたしきい値Ｔｈ１，Ｔｈ２と比較し、抵抗値がしきい値Ｔｈ１，Ｔｈ２を下回ったときの時刻又は期間を示す情報と、いずれのしきい値Ｔｈ１，Ｔｈ２を下回ったかにより判定される体液の種類を表す情報を、センサデータに含めて出力する。
【００３９】
通信部２２は、上記抵抗値計測部２１ａから出力されたセンサデータを、bluetooth（登録商標）やZigbee（登録商標）等に代表される微弱又は小電力を使用するデータ通信インタフェースを用いて、アンテナ２３から上記利用者端末２に向け送信する機能を有する。
【００４０】
（動作）
いま例えば、利用者が自宅又は映画館で映像コンテンツ（映画やドラマ）を鑑賞しているものとする。利用者は、体液検出装置１をハンカチやハンドタオルの代わりに所持しているが、平常のシーンでは通常涙や汗を流さないので体液検出装置１は使用されない。このため、体液検出装置１の抵抗値計測部２１ａにより計測される抵抗値は、例えば図４に示すようにしきい値Ｔｈ１以上となり、この結果センサデータは送信されない。
【００４１】
一方、例えば映画の悲しいシーンにおいて利用者が涙を流し、これをセンサユニット１０Ａにより拭いたとする。そうすると、涙がセンサユニット１０Ａの絶縁性布体１１１，１２１の一方から内部の各層にしみ込み、導電性パターン１１２ａと導電性パターン１２２ａとの間を電気的に短絡する。涙には、一般にナトリウム（NaCl）やカリウム（KCl）といった電解質が含まれており、これらの電解質は例えば図８および図９に示すように固有の導電率を有している。このため、抵抗値計測部２１ａにおいて計測される抵抗値は上記涙が持つ導電率に応じて低下する。
【００４２】
そして、涙を検出するためのしきい値Ｔｈ１を、例えば図１０に示すように予め測定しテーブルに記憶しておいた「涙」の抵抗値範囲を表す情報に基づいて、涙による抵抗値の範囲の最大値よりも若干高くなるように設定しておけば、上記涙により短絡された上記導電性パターン１１２ａ，１２２ａ間の抵抗値は例えば図６に示すようにしきい値Ｔｈ１を下回る。抵抗値計測部２１ａでは、上記抵抗値がしきい値Ｔｈ１を下回った時刻又は期間を示す情報が生成される。そして、この時刻又は期間を示す情報を含むセンサデータが通信部２２から送信される。
【００４３】
同様に、例えば映画のアクションシーンにおいて利用者が興奮して汗を流し、これをセンサユニット１０Ａにより拭いた場合にも、センサユニット１０Ａの導電性パターン１１２ａ，１２２ａ間が汗により短絡されて、その抵抗値が「汗」を検出するために設定したしきい値Ｔｈ２を下回る。この場合抵抗値計測部２１ａでは、上記抵抗値がしきい値Ｔｈ２を下回った時刻又は期間を示す情報が生成され、この時刻又は期間を示す情報を含むセンサデータが通信部２２から送信される。
【００４４】
なお、体液の種別、つまり「涙」と「汗」のそれぞれについてしきい値Ｔｈ１，Ｔｈ２を設定しているので、抵抗値計測部２１ａでは体液の有無だけでなく体液の種類も判定することができる。この場合抵抗値計測部２１ａは、体液を検出した時刻又は期間を示す情報に加え、体液の種類を表す情報をセンサデータに含めて送信することができる。
【００４５】
上記通信部２２から送信されたセンサデータは、利用者が所持する利用者端末２で受信され、この利用者端末２からネットワーク３を介して情報処理サーバ４へ転送される。
【００４６】
情報処理サーバ４では、センサデータ収集制御部４１１の制御の下で、上記センサデータが通信インタフェースユニット４３により受信され、センサデータ記憶部４２１に記憶される。そして、例えば映画又はドラマの上映時間又は放映時間が終了すると、利用者状態推定処理部４１２の制御の下で、上記センサデータ記憶部４２１から利用者ごとに上記上映時間又は放映時間に受信したセンサデータが読み出される。そして、このセンサデータから当該利用者が涙又は汗を流した時刻又は期間を示す情報が抽出され、この抽出された時刻又は期間に対し、その時に利用者が鑑賞していた映画又はドラマのシーンを示す情報が関連付けられる。
【００４７】
なお、上映中又は放映中のコンテンツの情報は、映画の配給元又は放送局から取得するか、または事前に情報処理サーバ４に記憶してあるものとする。そして、上記映画又はドラマに対する利用者の感動又は興奮の度合いが算出され、その算出結果が利用者ＩＤと関連付けられて利用者状態記憶部４２２に保存される。
【００４８】
続いて情報処理サーバ４では、推定結果通知制御部４１３の制御の下で、上記利用者状態記憶部４２２から、利用者ごとに当該利用者が鑑賞した映画又はドラマの識別情報と感動又は興奮の度合いを示す情報が読み出される。そして、例えばこの感動又は興奮の度合いを示す情報に基づいて、コンテンツサーバ５から当該利用者が感動又は興奮する確率の高い類似又は関連する映画又はドラマのコンテンツが取得され、このコンテンツの名称や概要を表す情報、或いはサンプル映像等が利用者端末２へ配信される。
【００４９】
また、利用者状態記憶部４２２に蓄積された情報に基づいて、利用者が過去に視聴又は鑑賞した複数のコンテンツのうち、涙又は汗を流したシーンを抜粋してダイジェストとして配信するようにしてもよい。このようにすることで、利用者は自身が過去に視聴又は鑑賞したコンテンツにおいて、涙又は汗を流したシーンを効果的に振り返ることが可能になる。
【００５０】
また情報処理サーバ４では、集団状態推定処理部４１４の制御の下、予め定義された集団に属する複数の利用者の同一時間帯における感動又は興奮の度合いを表す情報が上記利用者状態記憶部４２２から読み出される。例えば、映画館ごとに当該映画館で同時に映画を鑑賞した複数の利用者の感動又は興奮の度合いを示す情報が読み出される。そして、この読み出された複数の利用者の感動又は興奮の度合いを示す情報をもとに、同一時間帯に鑑賞された映画に対する集団としての感動又は興奮の傾向性が統計計算により算出され、その算出結果が集団状態記憶部４２３に記憶される。この集団における感動又は興奮の度合いを表す情報は、映画に対する評価に使用することができる。
【００５１】
（効果）
以上詳述したように第１の実施形態では、絶縁性布体１１１，１２１と導電性パターン１１２ａ，１２２ａと絶縁性シート１３とを重ね合わせて５層構造のセンサユニット１０Ａを構成し、このセンサユニット１０Ａに涙又は汗が付着したときの上記導電性パターン１１２ａ，１２２ａ間の抵抗の低下を抵抗値計測部２１ａにより検出して、その検出時刻又は期間を表す情報と、体液の種類を表す情報を含むセンサデータを通信部２２から送信するようにしている。
【００５２】
このため、映画やドラマ等のコンテンツを鑑賞したときのユーザの感動又は興奮の度合いを推定するためのセンサデータを、涙や汗を拭くという利用者の自然な動作を利用し、かつ涙又は汗の有無を抵抗値の低下として検出することが可能となる。従って、データ解析の処理負荷を減らすことができ、かつ身体へのセンサの装着を不要にして、利用者の心理的負担を無くすことが可能となる。
【００５３】
また、情報処理サーバ４において、体液検出装置１から送られたセンサデータに含まれる体液の種類を表す情報と検出時刻又は期間を示す情報をもとに、利用者が鑑賞中の映画又はドラマのどのシーンで感動又は興奮したのかを推定することができる。
【００５４】
さらに、センサデータを利用者端末２により情報処理サーバ４へ中継転送し、情報処理サーバ４において利用者の感情を推定する処理を行っているので、例えば体液検出装置１又は利用者端末２において同様の推定処理を実行する場合に比べ、他の処理に影響を及ぼすことなく高速に効率良く推定することができる。
【００５５】
さらに、情報処理サーバ４において、映画又はドラマに対する利用者の感動又は興奮の度合いの推定結果をもとに、利用者に感動又は興奮を与える確率が高い他の映画やドラマ等のコンテンツに関する情報を利用者端末２に配信するようにしたので、利用者は自身の好みの映画やドラマ等のコンテンツに関する情報を、自ら探すことなく取得することができる。
【００５６】
さらに、同一時間帯に同一の映画又はドラマを鑑賞した複数の利用者の感動又は興奮の度合いを表す情報をもとに統計処理を行うことで、利用者個人だけでなく、会場又は家庭単位で見た集団の感動又は興奮の度合いを数値化することができ、これにより利用者間の評価のばらつきを排除して、映画又はドラマに対する客観的な評価を行うことが可能となる。
【００５７】
［第２の実施形態］
図１１は、この発明の第２の実施形態に係る体液検出装置のセンサユニット１０Ｂの構成を示すものである。なお、同図において第１の実施形態と同一部分には同一符号を付してある。
【００５８】
第１の布状デバイス１１ｂは、絶縁性布体１１１の一方の面に櫛歯状をなす導電性パターン１１２ｂを形成したものとなっている。同様に第２の布状デバイス１２ｂも、絶縁性布体１２１の一方の面に櫛歯状をなす導電性パターン１２２ｂを形成したものとなっている。但し、上記導電性パターン１１２ｂ，１２２ｂは、互いに直交するように形成される。上記絶縁性布体１１１の導電性パターン１１２ｂが形成された面と、絶縁性布体１２１の導電性パターン１２２ｂが形成された面との間には、第１の実施形態と同様に絶縁性シート１３が介在配置される。
【００５９】
なお、上記絶縁性布体１１１，１２１に対する導電性パターン１１２ｂ，１２２ｂの形成は、接着または印刷により行うことができるが、導電性を有する繊維を絶縁性布体１１１，１２１に編み込むことにより行ってもよい。
【００６０】
以上のように第２の実施形態によれば、絶縁性布体１１１，１２１のほぼ全面に導電性パターン１１２ａ，１２２ａを形成した第１の実施形態に比べ、センサユニット１０Ｂの厚さを薄くすることができ、通常のハンカチやハンドタオルの使用感に近づけることができる。
【００６１】
［第３の実施形態］
図１２は、この発明の第３の実施形態に係る体液検出装置のセンサユニット１０Ｃおよび信号処理ユニット２０Ａの構成を示すものである。なお、同図において第１の実施形態と同一部分には同一符号を付して詳しい説明は省略する。
【００６２】
センサユニット１０Ｃは、絶縁性布体１１１の一方の面に、櫛歯状をなす２つの導電性パターン１１２ｃ，１１３ｃをその各歯に相当する部位が交互に対向配置されるように形成したものである。上記絶縁性布体１１１に対する導電性パターン１１２ｃ，１１３ｃの形成手法としては、第２の実施形態と同様に、接着または印刷を用いることができ、さらには繊維状の導電性パターン１１２ｃ，１１３ｃを絶縁性布体１１１に編み込むといった手法を採用することも可能である。
【００６３】
このようなセンサユニット１０Ｃを用いて利用者が涙又は汗を拭くと、図１３に示すように当該涙又は汗６がセンサユニット１０Ｃに付着して、上記導電性パターン１１２ｃ，１１３ｃ間が電気的に短絡される。抵抗値計測部２１ａは、待機状態において上記導電性パターン１１２ｃ，１１３ｃ間の抵抗値の低下を監視しており、上記涙又は汗６の付着により上記導電性パターン１１２ｃ，１１３ｃ間の抵抗値が低下してしきい値ＴＨ１，ＴＨ２のいずれかを下回ると、その時刻又は期間を表す情報を生成する。またそれと共に、上記しきい値ＴＨ１，ＴＨ２のいずれを下回ったかにより体液の種類を判定する。そして、上記生成した時刻又は期間を表す情報と、判定した体液の種類を表す情報をセンサデータに挿入し、通信部２２が当該センサデータを利用者端末２へ送信する。
【００６４】
上記センサデータは、利用者端末２からネットワーク３を介して情報処理サーバ４へ転送される。情報処理サーバ４では、上記センサデータに含まれる上記体液の種類と、上記生成された時刻又は期間を示す情報に基づいて、利用者が鑑賞中のコンテンツのどのシーンで感動又は興奮したのかを推定する処理が行われる。そして、この推定結果に基づいて、利用者へのサービス情報の配信や、コンテンツに対する集団の感情推定が行われる。
【００６５】
以上のように第３の実施形態によれば、上記導電性パターン１１２ｃ，１１３ｃを１枚の絶縁性布体１１１の同一の面に形成したことにより、センサユニット１０Ｃの厚さをさらに薄くすることができ、これによりハンカチ等と同等の使用感を得ることが可能となる。
【００６６】
［第４の実施形態］
図１４は、この発明の第４の実施形態に係る体液検出装置のセンサユニット１０Ｄおよび信号処理ユニット２０Ａの構成を示すものである。なお、同図において図１２および図１３と同一部分には同一符号を付して詳しい説明は省略する。
【００６７】
センサユニット１０Ｄにおける絶縁性布体１１１の、導電性パターン１１２ｃ，１１３ｃが形成された面は、絶縁性シート１３により被覆されている。絶縁性シート１３は涙や汗などの体液を吸収しやすく、かつ速乾性を有する素材により作製される。上記絶縁性布体１１１に対する導電性パターン１１２ｃ，１１３ｃの形成手法としては、第２の実施形態と同様に、接着または印刷を用いることができる。
【００６８】
以上のように第４の実施形態によれば、絶縁性布体１１１の導電性パターン１１２ｃ，１１３ｃの形成面を絶縁性シート１３で被覆したことによって、導電性パターン１１２ｃ，１１３ｃを保護することができ、これによりセンサユニット１０Ｄの信頼性を高めることができる。より具体的には、導電性パターン１１２ｃ，１１３ｃが誤って導通することを防いだり、耐久性を増すことが可能になる。
【００６９】
［第５の実施形態］
図１５は、この発明の第５の実施形態に係る体液検出装置のセンサユニット１０Ｅおよび信号処理ユニット２０Ｂの構成を示すものである。  
センサユニット１０Ｅの絶縁性布体１１１の一方の面には、所定の相互間隔を隔てて３本の導電性パターン１１２ｄ，１１３ｄ，１１４ｄが平行に形成されている。これらの導電性パターン１１２ｄ，１１３ｄ，１１４ｄの配置間隔は、検出対象の涙又は汗の量に応じて例えば１mmに設定される。なお、導電性パターン１１２ｄ，１１３ｄ，１１４ｄの配置間隔は１mmに限るものではない。
【００７０】
なお、上記絶縁性布体１１１に対する導電性パターン１１２ｄ，１１３ｄ，１１４ｄの形成手法としては、接着や印刷、さらには導電性を有する繊維からなる導電性パターンを絶縁性布体１１１に編み込むといった手法を用いることができる。
【００７１】
一方、信号処理ユニット２０Ｂの抵抗値計測部２１ｂは、上記導電性パターン１１２ｄ，１１３ｄ，１１４ｄの全ての組み合わせについて、導電性パターン間の抵抗値をしきい値Ｔｈ１，Ｔｈ２と比較することにより監視する。そして、ある導電性パターン間の抵抗値がしきい値Ｔｈ１，Ｔｈ２を下回った場合に、当該導電性パターンの組み合わせから涙又は汗の量を判定する。そして、この判定した涙又は汗の量を表す情報と、上記しきい値Ｔｈ１，Ｔｈ２のいずれを下回ったかにより特定される体液の種類を表す情報と、上記抵抗値の低下が検出されたときの時刻又は期間を示す情報をセンサデータに含め、当該センサデータを通信部２２へ出力する。通信部２２は、上記センサデータをアンテナ２３から利用者端末２に向け送信する。
【００７２】
このような構成であるから、映画又はドラマ等のコンテンツを鑑賞していた利用者が、センサユニット１０Ｅにより涙又は汗を拭き、その結果例えば図１６に示すように涙又は汗６により導電性パターン１１３ｄ，１１４ｄ間が電気的に短絡されたとする。
【００７３】
この場合抵抗値計測部２１ｂは、上記涙又は汗６の付着により上記導電性パターン１１３ｄ，１１４ｄ間の抵抗値が低下してしきい値ＴＨ１，ＴＨ２のいずれかを下回ると、その時刻又は期間を表す情報を生成する。またそれと共に、上記しきい値ＴＨ１，ＴＨ２のいずれを下回ったかにより体液の種類を判定し、さらに抵抗値の低下が検出された導電性パターンの組み合わせから涙又は汗の量を判定する。図１６に示した例では、涙又は汗の量は少ないと判定される。
【００７４】
一方、例えば図１７に示すように涙又は汗６により導電性パターン１１２ｄ，１１３ｄ，１１４ｄ間のすべてが電気的に短絡されたとする。この場合抵抗値計測部２１ｂは、上記涙又は汗６の付着により上記導電性パターン１１２ｄ，１１３ｄ，１１４ｄ間の抵抗値が低下してしきい値ＴＨ１，ＴＨ２のいずれかを下回るため、涙又は汗の量は多いと判定する。
【００７５】
そして抵抗値計測部２１ｂは、以上のように判定した涙又は汗の量の判定結果を表す情報と、上記体液の種類（涙又は汗）を表す情報と、上記生成された時刻又は期間を示す情報をセンサデータに含め、当該センサデータを通信部２２へ出力する。通信部２２は、上記センサデータを利用者端末２へ送信する。
【００７６】
上記センサデータは、利用者端末２からネットワーク３を介して情報処理サーバ４へ転送される。情報処理サーバ４では、上記センサデータに含まれる汗の量を表す情報と、上記体液の種類と、上記生成された時刻又は期間を示す情報をもとに、利用者が鑑賞中のコンテンツのどのシーンで感動又は興奮したのか、さらにはその感動又は興奮の度合いが大きいかまたは小さいかを推定する処理が行われる。そして、上記推定結果に基づく、利用者へのサービス情報の配信や、コンテンツに対する集団の感情推定が行われる。
【００７７】
以上のように第５の実施形態によれば、情報処理サーバ４において、センサデータに含まれる汗の量を表す情報と、上記体液の種類と、上記生成された時刻又は期間を示す情報をもとに、利用者が鑑賞中のコンテンツのどのシーンで感動又は興奮したのか、さらにはその感動又は興奮の度合いが大きいかまたは小さいかを推定することが可能となる。
【００７８】
なお、映像又はドラマ等のコンテンツの鑑賞時において、感動により人が涙を流す場合には、涙は目付近の狭い領域から分泌される。これに対し、運動等により生じる発汗は皮膚の広い領域から均一に生じる。このため、体液の種類に応じてセンサユニット１０Ｅに付着する体液の面積は異なる。
【００７９】
そこで、抵抗値計測部２１ｂに、例えば図１８に示すように体液の種類別にセンサユニット１０Ｅにおける平均的な付着面積を定義したテーブルを用意しておき、センサユニット１０Ｅに付着した涙又は汗の面積を上記テーブルで定義された平均的な付着面積と比較することにより、付着した体液の種類を判定する。このように構成することで、体液の付着面積の違いをもとに体液の種類を判定することができる。さらに、上記付着面積により涙又は汗の量を判定することも可能である。
【００８０】
［第６の実施形態］
図１９は、この発明の第６の実施形態に係る体液検出装置のセンサユニット１０Ｆおよび信号処理ユニット２０Ｂの構成を示すものである。なお、同図において図１５乃至図１７と同一部分には同一符号を付して詳しい説明は省略する。
【００８１】
センサユニット１０Ｆにおける絶縁性布体１１１の、導電性パターン１１２ｄ，１１３ｄ，１１４ｄが形成された面は、絶縁性シート１３により被覆されている。絶縁性シート１３は涙や汗などの体液を吸収しやすく、かつ速乾性を有する素材により作製される。上記絶縁性布体１１１に対する導電性パターン１１２ｃ，１１３ｃの形成手法としては、第４の実施形態等と同様に接着または印刷を用いることができる。
【００８２】
以上のように第６の実施形態によれば、絶縁性布体１１１における導電性パターン１１２ｄ，１１３ｄ，１１４ｄの形成面を絶縁性シート１３で被覆したことによって、導電性パターン１１２ｄ，１１３ｄ，１１４ｄを保護することができ、これによりセンサユニット１０Ｆの信頼性を高く保つことができる。
【００８３】
［第７の実施形態］
図２０は、この発明の第７の実施形態に係る体液検出装置のセンサユニット１０Ｇおよび信号処理ユニット２０Ｃの構成を示すものである。なお、同図において第１５と同一部分には同一符号を付して詳しい説明は省略する。
【００８４】
センサユニット１０Ｇにおいて、絶縁性布体１１１の一方の面（表面）には、所定の間隔を隔てて３本の導電性パターン１１２ｄ，１１３ｄ，１１４ｄが平行に形成されている。また、絶縁性布体１１１の他方の面（裏面）には、所定の間隔を隔てて平行しかつ上記導電性パターン１１２ｄ，１１３ｄ，１１４ｄと直交する状態で、３本の導電性パターン１１５ｄ，１１６ｄ，１１７ｄが形成されている。これらの導電性パターン１１２ｄ，１１３ｄ，１１４ｄおよび導電性パターン１１５ｄ，１１６ｄ，１１７ｄの配置間隔は、いずれも検出対象の涙又は汗の量に応じて例えば１mmに設定される。なお、上記配置間隔は１mmに限るものではない。
【００８５】
なお、上記絶縁性布体１１１に対する導電性パターン１１２ｄ，１１３ｄ，１１４ｄおよび１１５ｄ，１１６ｄ，１１７ｄの形成手法としては、接着や印刷、さらには導電性を有する繊維からなる導電性パターンを絶縁性布体１１１に編み込むといった手法を用いることができる。
【００８６】
一方、信号処理ユニット２０Ｃの抵抗値計測部２１ｃは、上記導電性パターン１１２ｄ，１１３ｄ，１１４ｄの全ての組み合わせについて、導電性パターン間の抵抗値をしきい値Ｔｈ１，Ｔｈ２と比較することにより監視する。またそれと共に、導電性パターン１１５ｄ，１１６ｄ，１１７ｄの全ての組み合わせについて、導電性パターン間の抵抗値をしきい値Ｔｈ１，Ｔｈ２と比較することにより監視する。そして、導電性パターン１１２ｄ，１１３ｄ，１１４ｄの全ての組み合わせのうち、抵抗値がしきい値Ｔｈ１，Ｔｈ２を下回った導電性パターンの組み合わせと、導電性パターン１１５ｄ，１１６ｄ，１１７ｄの全ての組み合わせのうち、抵抗値がしきい値Ｔｈ１，Ｔｈ２を下回った導電性パターンの組み合わせとを総合して、涙又は汗の量を判定する。
【００８７】
また抵抗値計測部２１ｃは、上記判定した涙又は汗の量を表す情報と、上記しきい値Ｔｈ１，Ｔｈ２のいずれを下回ったかにより特定される体液の種類を表す情報と、上記抵抗値の低下が検出されたときの時刻又は期間を示す情報をセンサデータに含め、当該センサデータを通信部２２へ出力する。通信部２２は、上記センサデータをアンテナ２３から利用者端末２に向け送信する。
【００８８】
このような構成であるから、映画又はドラマ等のコンテンツを鑑賞していた利用者が、センサユニット１０Ｇにより涙又は汗を拭き、その結果例えば図２１に示すように涙又は汗６により導電性パターン１１２ｄ，１１３ｄ，１１４ｄ間が電気的に短絡され、かつ同時に導電性パターン１１５ｄ，１１６ｄ間が電気的に短絡されたとする。
【００８９】
この場合抵抗値計測部２１ｃは、上記涙又は汗６の付着により上記導電性パターン１１２ｄ，１１３ｄ，１１４ｄ間および導電性パターン１１５ｄ，１１６ｄ間の抵抗値が低下してしきい値ＴＨ１，ＴＨ２のいずれかを下回ると、その時刻又は期間を表す情報を生成する。またそれと共に、上記しきい値ＴＨ１，ＴＨ２のいずれを下回ったかにより体液の種類を判定する。
【００９０】
さらに、抵抗値の低下が検出された導電性パターン１１２ｄ，１１３ｄ，１１４ｄおよび１１５ｄ，１１６ｄの組み合わせから、涙又は汗の量を二次元的に判定する。例えば、図２１の例では涙又は汗がセンサユニット１０Ｇの全領域に付着された場合よりも少ないが、少量が一部領域に付着された場合より多いと判定される。
【００９１】
そして抵抗値計測部２１ｃは、以上のように判定した涙又は汗の量の判定結果を表す情報と、上記体液の種類（涙又は汗）を表す情報と、上記生成された時刻又は期間を示す情報をセンサデータに含め、当該センサデータを通信部２２へ出力する。通信部２２は、上記センサデータを利用者端末２へ送信する。
【００９２】
上記センサデータは、利用者端末２からネットワーク３を介して情報処理サーバ４へ転送される。情報処理サーバ４では、上記センサデータに含まれる汗の量を表す情報と、上記体液の種類と、上記生成された時刻又は期間を示す情報をもとに、利用者が鑑賞中のコンテンツのどのシーンで感動又は興奮したのか、さらにはその感動又は興奮の度合いがどの程度かを多段階に推定する処理が行われる。そして、上記推定結果に基づく、利用者へのサービス情報の配信や、コンテンツに対する集団の感情推定が行われる。
【００９３】
以上のように第７の実施形態によれば、情報処理サーバ４において、センサデータに含まれる、二次元的に検出された汗の量を表す情報と、上記体液の種類と、上記生成された時刻又は期間を示す情報をもとに、利用者が鑑賞中のコンテンツのどのシーンで感動又は興奮したのか、さらにはその感動又は興奮の度合いが多段階に推定することが可能となる。すなわち、利用者の感動又は興奮の度合いをより高精度の推定することが可能となる。
【００９４】
［第８の実施形態］
図２２は、この発明の第８の実施形態に係る体液検出装置のセンサユニット１０Ｈおよび信号処理ユニット２０Ｃの構成を示すものである。なお、同図において図２０および図２１と同一部分には同一符号を付して詳しい説明は省略する。
【００９５】
センサユニット１０Ｈにおける絶縁性布体１１１の、導電性パターン１１２ｄ，１１３ｄ，１１４ｄが形成された面は、絶縁性シート１３１により被覆されている。またそれと共に、絶縁性布体１１１の、導電性パターン１１５ｄ，１１６ｄ，１１７ｄが形成された面は、絶縁性シート１３２により被覆されている。絶縁性シート１３１，１３２は涙や汗などの体液を吸収しやすく、かつ速乾性を有する素材により作製される。上記絶縁性布体１１１に対する導電性パターン１１２ｃ，１１３ｃの形成手法としては、第４の実施形態等と同様に接着または印刷を用いることができる。
【００９６】
以上のように第８の実施形態によれば、絶縁性布体１１１における導電性パターン１１２ｄ，１１３ｄ，１１４ｄおよび１１５ｄ，１１６ｄ，１１７ｄの各形成面を絶縁性シート１３１，１３２で被覆したことによって、導電性パターン１１２ｄ，１１３ｄ，１１４ｄおよび１１５ｄ，１１６ｄ，１１７ｄを保護することができ、これによりセンサユニット１０Ｇの信頼性を高く保つことができる。
【００９７】
［その他の実施形態］
前記各実施形態では、利用者の感情の推定処理を情報処理サーバ４で行う場合を例にとって説明したが、この推定処理を体液検出装置の信号処理ユニット、又は利用者端末において行うようにしてもよい。
【００９８】
上記各実施形態で述べた体液検出装置および当該体液検出装置を備えたシステムの具体的な用途としては、テレビジョン装置、パーソナルコンピュータ、携帯端末、音響機器を用いた放送番組や映像コンテンツ、音楽コンテンツ等の視聴又は鑑賞、映画館等における映画等の鑑賞、コンサート会場やライブ会場等のイベント会場における各種イベントの鑑賞又は参加等が考えられる。
【００９９】
より具体的には、映画館やイベント会場に入場する利用者の各々にハンカチ、ハンドタオル、フェースタオル又はネッカチーフ状に製作した体液検出装置を配布し、各利用者の涙や汗等の体液を流したタイミング又は期間とその量を体液検出装置により検出してその検出データを情報処理サーバにより収集する。そして、情報処理サーバにおいて、上記収集された検出データをもとにイベントの各シーンに対する利用者個人および集団の感動又は興奮の度合いを推定する。
【０１００】
また、情報処理サーバ４において、利用者状態記憶部４２２に蓄積された情報をもとにコンテンツの視聴中または鑑賞中に利用者が涙又は汗を流した回数を計数し、その計数値がしきい値を超えた利用者が所持する利用者端末２にクーポンを配信するようにしてもよい。このようにすると、映画鑑賞やコンサートなどの公演の終了後に、利用者が自身の利用者端末に配信されたクーポンを提示することで、ティッシュペーパや飲料の提供を受けることができる。
【０１０１】
さらに、情報処理サーバ４において、利用者状態記憶部４２２に蓄積された情報をもとに集団の平均的な汗拭きの回数を計算し、その計算結果をもとに映画館やコンサート会場内の温度を推定する。そして、この温度の推定結果に基づいて空調機器を制御することで、会場内の温度が適切な温度に保たれるようにしてもよい。
【０１０２】
さらに、前記各実施形態では体液として涙又は汗を検出する場合を例にとって説明したが、他に唾液を検出するようにしてもよい。すなわち、利用者が例えば料理番組やグルメの紹介番組を視聴中に、センサユニットにより唾液を拭いた場合には、そのセンサデータをもとに利用者がどの料理に関心を寄せたかを推定することができ、これにより利用者の嗜好にあった飲食店の紹介情報を配信することが可能となる。さらに、信号処理ユニットに汗の量と成分を分析する機能を設け、この結果をもとに利用者の体調を推定することも可能である。
【０１０３】
その他、センサユニットおよび信号処理ユニットの構成やその機能、システムの構成とその処理機能、システムの用途やサービスの内容等についても、この発明の要旨を逸脱しない範囲で種々変形して実施可能である。
【０１０４】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【０１０５】
１…体液検出装置、２…利用者端末、３…ネットワーク、４…情報処理サーバ、５…コンテンツサーバ、１０Ａ〜１０Ｈ…センサユニット、１１…第１の布状デバイス、１２…第２の布状デバイス、１３，１３１，１３２…絶縁性シート、１１１，１２１…絶縁性布体、１１２ａ，１２２ａ，１１２ｂ，１２２ｂ，１１２ｃ，１１３ｃ，１１２ｄ，１１３ｄ，１１４ｄ，１１５ｄ，１１６ｄ，１１７ｄ…導電性パターン、２０Ａ〜２０Ｃ…信号処理ユニット、２１ａ，２１ｂ，２１ｃ…抵抗値計測部、２２…通信部、２３…アンテナ、４１…制御ユニット、４２…記憶ユニット、４３…通信インタフェースユニット、４１１…センサデータ収集制御部、４１２…利用者状態推定処理部、４１３…推定結果通知制御部、４１４…集団状態推定処理部、４２１…センサデータ記憶部、４２２…利用者状態記憶部、４２３…集団状態記憶部。
【図１】
2020073884.tif 000003
【図２】
2020073884.tif 000004
【図３】
2020073884.tif 000005
【図４】
2020073884.tif 000006
【図５】
2020073884.tif 000007
【図６】
2020073884.tif 000008
【図７】
2020073884.tif 000009
【図８】
2020073884.tif 000010
【図９】
2020073884.tif 000011
【図１０】
2020073884.tif 000012
【図１１】
2020073884.tif 000013
【図１２】
2020073884.tif 000014
【図１３】
2020073884.tif 000015
【図１４】
2020073884.tif 000016
【図１５】
2020073884.tif 000017
【図１６】
2020073884.tif 000018
【図１７】
2020073884.tif 000019
【図１８】
2020073884.tif 000020
【図１９】
2020073884.tif 000021
【図２０】
2020073884.tif 000022
【図２１】
2020073884.tif 000023
【図２２】
2020073884.tif 000024